(57)【要約】【課題】測定精度の向上を図ることができる測定装置、及びそれを備えたトイレ室用棚ユニットを提供する。【解決手段】測定装置１０は、便器装置Ｔ、及び棚２０を備えたトイレ室Ｒの棚２０に取り付けられ、生体情報に基づいて健康状態を測定する。測定装置１０は、手を当てることで生体情報を検出する検出部１１と、検出部１１によって検出された生体情報に基づく表示を行う表示部１３と、を備えている。測定装置１０は、便器装置Ｔの側方の壁面Ｗに取り付けられた棚２０に設けられた取付部に着脱可能に取り付けられる。【選択図】図１
2020014781.tif 000002
【特許請求の範囲】
【請求項１】
便器装置、及び棚を備えたトイレ室の前記棚に取り付けられ、生体情報に基づいて健康状態を測定する測定装置であって、
手を当てることで生体情報を検出する検出部と、
前記検出部によって検出された生体情報に基づく表示を行う表示部と、
を備えており、
前記測定装置は、前記便器装置の側方の壁面に取り付けられた前記棚に設けられた取付部に着脱可能に取り付けられることを特徴とする測定装置。
【請求項２】
前記トイレ室の前記便器装置の側方の壁面であって前記便器装置の前方側には紙巻器が取り付けられており、
前記棚は、前記紙巻器の後端よりも後方に延びる形態で、前記壁面の前記紙巻器の上側に取り付けられており、
前記測定装置は、前記生体情報を検出する際には、前記棚の前記紙巻器の後端よりも後方の部位に腕を載置可能な位置に設けられた前記取付部に取り付けられることを特徴とする請求項１記載の測定装置。
【請求項３】
前記紙巻器の後端よりも後方に少なくとも一部が位置していることを特徴とする請求項２記載の測定装置。
【請求項４】
前記棚の前記便器装置側の端面よりも前記便器装置側に突出して設けられた測定操作を行うための操作部を備えており、
前記検出部は、前記棚の上面に配置されていることを特徴とする請求項１乃至３のいずれか一項に記載の測定装置。
【請求項５】
前記棚に設けられたガイド部に沿って前後方向に移動自在に設けられていることを特徴とする請求項１乃至３のいずれか一項に記載の測定装置。
【請求項６】
前記検出部は、前記生体情報を検出する際に手が当てられる面が前記棚の上面と面一に設けられていることを特徴とする請求項１乃至５のいずれか一項に記載の測定装置。
【請求項７】
請求項１乃至６のいずれか一項に記載の測定装置と、
前記測定装置が取り付けられた前記棚と、
を備えていることを特徴とするトイレ室用棚ユニット。
【発明の詳細な説明】
【技術分野】
【０００１】
本発明は、測定装置、及びそれを備えたトイレ室用棚ユニットに関する。
【背景技術】
【０００２】
特許文献１には、手から検出した生体情報に基づいて健康状態を測定することが可能な手段として、トイレットペーパーホルダに血圧測定用のセンサ（指カフ）を設ける技術が開示されている。家庭のトイレ内はプライバシーが保たれて気持ちが落ち着き易く、また、排便後は副交感神経が優位になるため血流が安定し易い。したがって、センサによる血圧測定をトイレで行うことは、測定精度を高めるという点で好ましい。特許文献１のトイレットペーパーホルダでは、センサがトイレットペーパーホルダの上面に設けられており、血圧を測定する際には、便座への着座者が、指先をセンサに差し込むようになっている。
【先行技術文献】
【特許文献】
【０００３】
【特許文献１】特開平８−６６３３５号公報
【発明の概要】
【発明が解決しようとする課題】
【０００４】
センサはトイレットペーパーホルダに固定されていて、センサに指を差し込む向きは決まっている。一方、トイレットペーパーホルダの取付け位置は、便座への着座者にとってトイレットペーパーを繰り出し易いことを優先して設定される。そのため、トイレットペーパーホルダの取付け位置や向きによっては、指カフに指を差し込み難くなり、便座への着座者が血圧測定時に上半身を捻る等の無理な体勢を強いられ、正確なデータを検出できないおそれがあった。
【０００５】
本発明は、上記従来の実情に鑑みてなされたものであって、測定精度の向上を図ることができる測定装置、及びそれを備えたトイレ室用棚ユニットを提供することを解決すべき課題としている。
【課題を解決するための手段】
【０００６】
本発明の測定装置は、便器装置、及び棚を備えたトイレ室の前記棚に取り付けられ、生体情報に基づいて健康状態を測定する測定装置であって、
手を当てることで生体情報を検出する検出部と、
前記検出部によって検出された生体情報に基づく表示を行う表示部と、
を備えており、
前記測定装置は、前記便器装置の側方の壁面に取り付けられた前記棚に設けられた取付部に着脱可能に取り付けられることを特徴とする。
【０００７】
本発明のトイレ室用棚ユニットは、
前記測定装置と、
前記測定装置が取り付けられた前記棚と、
を備えていることを特徴とする。
【０００８】
本発明の測定装置、及びそれを備えたトイレ室用棚ユニットは、測定装置が、便器装置の側方の壁面に取り付けられた棚に設けられた取付部に着脱可能に取り付けられる。このため、取付部を棚の適切な位置に設け、生体情報を検出する際にこの取付部に測定装置を取り付けることで、便器装置に着座した使用者により近接させ、体勢に無理のない測定に適した設置位置とすることができる。
【０００９】
したがって、本発明の測定装置、及びそれを備えたトイレ室用棚ユニットは、測定精度の向上を図ることができる。
【００１０】
なお、上記「手」とは、指や手のひら等、手首よりも末端側の部位を意図している。また、上記「前方」、「後方」、及び「側方」とは、トイレ室内の便器装置に着座した状態の使用者からみた前方、後方、及び側方をそれぞれ意図している。
【図面の簡単な説明】
【００１１】
【図１】実施例１に係る測定装置が配置されたトイレ室を模式的に示す図である。
【図２】実施例１に係る測定装置を模式的に示す図である。
【図３】実施例１に係る測定装置を模式的に示す図であり、棚から取り外した状態を示す。
【図４】実施例２に係る測定装置を模式的に示す図である。
【図５】実施例２に係る測定装置を模式的に示す図であり、図４の位置から移動させた状態を示す。
【図６】実施例３に係る測定装置を模式的に示す図である。
【図７】実施例３に係る測定装置を模式的に示す図であり、棚から取り外した状態を示す。
【図８】他の実施例に係る測定装置を模式的に示す図である。
【発明を実施するための形態】
【００１２】
本発明の測定装置において、前記トイレ室の前記便器装置の側方の壁面であって前記便器装置の前方側には紙巻器が取り付けられており、前記棚は、前記紙巻器の後端よりも後方に延びる形態で、前記壁面の前記紙巻器の上側に取り付けられており、前記測定装置は、前記生体情報を検出する際には、前記棚の前記紙巻器の後端よりも後方の部位に腕を載置可能な位置に設けられた前記取付部に取り付けられ得る。この場合、生体情報を検出する際に、紙巻器の後端よりも後方に延びている棚の上に腕を載置して測定することができるので、腕の重さを検出部に当てられる指で受けることを回避することができるとともに、腕に負担をかけたり余計な力が込められたりすることを回避できる。このため、楽な姿勢で測定時の手を安定させることができるので、正確な測定を行うことができる。
【００１３】
本発明の測定装置は、前記紙巻器の後端よりも後方に少なくとも一部が位置し得る。この場合、便器装置に着座した状態の使用者に近接した位置に確実に配置することができるので、楽な姿勢で測定を行うことができる。
【００１４】
本発明の測定装置は、前記棚の前記便器装置側の端面よりも前記便器装置側に突出して設けられた測定操作を行うための操作部を備えており、前記検出部は、前記棚の上面に配置され得る。この場合、使用者により近接させた操作し易い位置に操作部を配置することができる。また、検出部に手を当てた状態において操作し易い位置に操作部が配置されるので、より確実な測定操作を行うことができる。
【００１５】
本発明の測定装置は、前記棚に設けられたガイド部に沿って前後方向に移動自在に設けられ得る。この場合、腕の長さ等の体格の異なる使用者それぞれに適した位置に配置することができる。また、測定装置の非使用時には、測定装置を邪魔にならない位置に移動させることができる。
【００１６】
本発明の測定装置において、前記検出部は、前記生体情報を検出する際に手が当てられる面が前記棚の上面と面一に設けられ得る。この場合、測定時には、検出面と同じ高さの棚の上面に手を自然な状態で載置して測定を行うことができる。
【００１７】
以下、本発明を具体化した実施例１〜３について、図面を参照しつつ説明する。
なお、以下の説明において、前後方向、左右方向、上下方向とは、便器装置に着座した状態の使用者から見た前後方向、左右方向、上下方向をそれぞれ示すものとする。
【００１８】
＜実施例１＞
実施例１の測定装置１０は、図１に示すように、トイレ室Ｒ内に配される。トイレ室Ｒには、便器装置Ｔ、紙巻器Ｈ、及び棚２０が配されている。測定装置１０は、このようなトイレ室Ｒの棚２０に取り付けられ、生体情報としての脈波に基づいて、使用者の健康状態を測定する。
【００１９】
便器装置Ｔは、便器本体Ｔ１及び便座Ｔ２を備えた洋式の便器装置であり、水平面をなすトイレ室Ｒの床面Ｆに設置されている。紙巻器Ｈは、便器装置Ｔの右側前方の鉛直面をなすトイレ室Ｒの壁面Ｗに取り付けられている。紙巻器Ｈは、２つのトイレットペーパーＰを同軸状に前後方向に並べて保持可能である。
【００２０】
棚２０は、紙巻器Ｈの後端よりも後方に延びる形態で、壁面Ｗの紙巻器Ｈの上側に取り付けられている。詳細には、棚２０は、平面視略矩形状をなしており、一方の長辺側の端面を壁面Ｗに当接させた形態で壁面Ｗに固定されている。棚２０は、上面が略水平となる形態で紙巻器Ｈの上部に配されている。棚２０は、前端が紙巻器Ｈの前端と略同等の位置に配され、後端が紙巻器Ｈの後端よりも後方に突出して配されている。また、棚２０には手すり２１が連結されている。手すり２１は円柱形状をなしている。手すり２１は、その下端が棚２０の前端側の上面に固定されている。棚２０の上端は、壁面Ｗから左方に突出する形態で壁面Ｗに固定されたブラケット２１Ａを介して壁面Ｗに連結されている。本実施例の測定装置１０は、この棚２０とともにトイレ室用棚ユニット１００（以下、単に棚ユニット１００とも表記する）を構成する。
【００２１】
実施例１の測定装置１０は、図１に示すように、紙巻器Ｈの後端よりも後方に配されている。また、測定装置１０は、便器装置Ｔの便座Ｔ２に着座した状態の使用者から見て、右側方のやや前方に位置するように配置されている。すなわち、測定装置１０は、前後方向において、紙巻器Ｈの後端よりも後方且つ便座Ｔ２に着座した状態の使用者よりも前方に配置されている。測定装置１０は、図１及び図２に示すように、検出部１１及び機能部１２を備えている。検出部１１は棚２０の上面に配されている。検出部１１は、手を当てることで生体情報としての脈波を検出する。具体的には、本実施例の検出部１１は、人差し指の指先を当てることで脈波を検出する。図２に示すように、検出部１１は、形状的には、前後方向を長手方向とするとともに上下方向に扁平な矩形柱状に形成されている。検出部１１は、その上面を検出面としている。また、検出部１１は、棚２０の上面の便器装置Ｔ側の端面寄りに配されている。
【００２２】
図２に示すように、検出部１１は、波長の異なる検知光を発する一対の発光素子１１Ａ，１１Ｂと、１つの受光素子１１Ｃと、を有している。検出部１１に指先を当てると、一方の発光素子１１Ａから発せられた検知光が動脈で反射して受光素子１１Ｃで受光され、他方の発光素子１１Ｂから発せられた検知光が静脈で反射して受光素子１１Ｃで受光され、これらの検知光により動脈と静脈の脈波（生体情報）が検出される。検出部１１で検出された脈波の情報は、図示しない情報処理部に基づいて血管年齢が演算され、その演算結果が血管年齢の測定値として表示部１３に出力されて表示される。
【００２３】
機能部１２は、棚２０の便器装置Ｔ側の側面に配されている。機能部１２は、棚２０の便器装置Ｔ側の端面よりも便器装置Ｔ側に突出する形態で配されている。機能部１２は、形状的には、断面台形状をなすとともに、測定装置１０が棚２０に取り付けられた状態における前後方向を長手方向とする角柱形状をなしている。機能部１２の上面の前後方向の中央部には上側延出部１２Ａが形成されている。上側延出部１２Ａは、図２に示すように、測定装置１０が棚２０に取り付けられた状態において、棚２０の上面に延出する形態とされている。測定装置１０は、この上側延出部１２Ａ上に検出部１１が一体的に載置された形態とされている。
【００２４】
また、機能部１２の下面には下側延出部１２Ｂが形成されている。下側延出部１２Ｂは、図３に示すように、測定装置１０が棚２０に取り付けられた際に棚２０の下面に延出する形態とされている。また、機能部１２の下面には、凹状に形成された２箇所の係合部１２Ｃが形成されている。係合部１２Ｃは、図３に示すように、凸状に形成された取付金具１５（本発明に係る取付部として例示する）の被係合部１５Ａに着脱自在に係合する。取付金具１５は、棚２０の下面に取り付けられて測定装置１０を棚２０に固定する部材である。測定装置１０は、上側延出部１２Ａと、下側延出部１２Ｂとにより棚２０を上下に挟み込むとともに、係合部１２Ｃを取付金具１５の被係合部１５Ａに係合させた形態で、棚２０に取り付けられる。
【００２５】
取付金具１５は、測定装置１０が取り付けられて生体情報を検出する際に棚２０の紙巻器Ｈの後端よりも後方の部位に腕を載置可能なように、その位置が設定されている。詳細には、取付金具１５は、棚２０の下面に複数のビス１５Ｂを用いて固定されている。この取付金具１５を前後方向の随意の位置に固定することによって、測定装置１０を前後方向の所望位置に取り付けることができる。測定装置１０の前後方向の所望位置に取り付けるには、棚２０に固定する前の取付金具１５を測定装置１０に係合させておき、この状態で、機能部１２の上側延出部１２Ａと下側延出部１２Ｂとにより棚２０を挟み込んで位置決めを行い、取付金具１５のビス１５Ｂを締結する。これにより、測定装置１０が所望の前後位置で棚２０に着脱自在に取り付けられる。
【００２６】
機能部１２は、表示部１３及び操作部１４を有している。また、機能部１２は、検出部１１やこれら表示部１３、操作部１４等の制御を行う制御部や、検出部１１により検出された脈波に基づく演算処理等を行う情報処理部等、健康状態を測定するための機能を有する図示しない装置を搭載している。表示部１３は、測定装置１０により測定された測定結果を表示する表示器である。操作部１４は、測定装置１０による測定を開始する際に操作される測定操作を行うための操作ボタン１４Ａや、電源を投入したりホーム画面を表示したりするための操作ボタン１４Ｂ、表示部１３に表示する表示の切り替えの際に操作される操作ボタン１４Ｃ，１４Ｄ，１４Ｅである。操作部１４は、断面台形状をなす機能部１２の便器装置Ｔ側の面１２Ｄに配されている。すなわち、操作部１４は、棚２０の便器装置Ｔ側の端面よりも便器装置Ｔ側に突出して設けられている。また、実施例１の表示部１３は、操作部１４と同様に、機能部１２の便器装置Ｔ側の面１２Ｄに配されている。なお、機能部１２の便器装置Ｔ側の面１２Ｄは、僅かに上方を向く形態で傾斜して形成されており、便器装置Ｔの便座Ｔ２に着座した状態の使用者からの表示部１３の視認性や操作部１４の操作性の向上が図られている。
【００２７】
上記構成の実施例１の測定装置１０を用いた測定方法について説明する。測定は、便器装置Ｔの便座Ｔ２に着座した状態で行われる。測定に際しては、まず、右手の人差し指の指先を検出部１１に載置する。測定装置１０は、紙巻器Ｈの後端よりも後方、且つ便器装置Ｔに着座した状態の使用者よりも前方に配置されており、検出部１１は、便器装置Ｔ側の端面寄りの棚２０の上面に配されている。このため、使用者に近接した位置の検出部１１に対して楽な姿勢で人差し指が載置される。また、この時、手を自然な状態とすることで、手のひら等の他の手の部位が棚２０の上面に載置された状態となり、腕に負担をかけたり余計な力が込められたりするのが抑制される。また、この状態では、検出部１１が棚２０の便器装置Ｔ側の端面寄りに配置されていることから、親指は機能部１２の便器装置Ｔ側の面１２Ｄに垂れ下がった状態となる。すなわち、検出部１１に人差し指を載置した状態において、親指は、機能部１２の便器装置Ｔ側の面１２Ｄに配された操作部１４を操作し易い位置に配される。
【００２８】
そして、この状態で操作部１４を操作することにより測定が開始される。検出部１１により検出された生体情報としての脈波の情報は、測定装置１０の機能部１２内部の図示しない情報処理部によって処理されて血管年齢が算出される。そして、演算結果は、血管年齢の測定値として表示部１３に出力されて表示される。
【００２９】
なお、本実施例では、演算結果や検出した脈波の情報は、測定装置１０内の図示しない格納手段に格納され、操作部１４の操作によって、表示部１３の表示で随時確認できるようになっている。また、これらのデータは、有線、無線等によって送信し、スマートフォン、ＰＣ等の外部機器に表示、格納したりしてもよい。また、クラウドサーバー等の他のデータストレージに格納したりしてもよい。
【００３０】
以上より、実施例１の測定装置１０は、便器装置Ｔ、及び棚２０を備えたトイレ室Ｒの棚２０に取り付けられ、生体情報に基づいて健康状態を測定する。測定装置１０は、人差し指を当てることで生体情報としての脈波を検出する検出部１１と、この検出部１１によって検出された脈波に基づく表示を行う表示部１３と、を備えている。測定装置１０は、便器装置Ｔの側方の壁面Ｗに取り付けられた棚２０に設けられた取付部としての取付金具１５に着脱可能に取り付けられる。
【００３１】
また、実施例１のトイレ室用棚ユニット１００は、測定装置１０と、棚２０とを備えている。
【００３２】
測定装置１０及び棚ユニット１００は、測定装置１０が、便器装置Ｔの側方の壁面Ｗに取り付けられた棚２０に設けられた取付部としての取付金具１５に着脱可能に取り付けられている。このため、取付金具１５を棚２０の適切な位置に設け、生体情報を検出する際にこの取付金具１５に測定装置１０を取り付けることで、便器装置Ｔに着座した使用者により近接させ、体勢に無理のない測定に適した設置位置とすることができる。
【００３３】
したがって、実施例１の測定装置１０、及び棚ユニット１００は、測定精度の向上を図ることができる。
【００３４】
また、トイレ室Ｒの便器装置Ｔの側方の壁面であって便器装置Ｔの前方側には紙巻器Ｈが取り付けられており、棚２０は、この紙巻器Ｈの後端よりも後方に延びる形態で、壁面Ｗの紙巻器Ｈの上側に取り付けられている。そして、測定装置１０は、生体情報を検出する際には、棚２０の紙巻器Ｈの後端よりも後方の部位に腕を載置可能な位置に設けられた取付部としての取付金具１５に取り付けられる。このため、生体情報を検出する際に、紙巻器Ｈの後端よりも後方に延びている棚２０の上に腕を載置して測定することができるので、腕の重さを検出部１１に当てられる指で受けることを回避することができるとともに、腕に負担をかけたり余計な力が込められたりすることを回避できる。このため、楽な姿勢で測定時の手を安定させることができるので、正確な測定を行うことができる。
【００３５】
また、測定装置１０は、紙巻器Ｈの後端よりも後方に位置している。このため、便器装置Ｔに着座した状態の使用者に近接した位置に確実に配置することができるので、楽な姿勢で測定を行うことができる。また、測定装置１０を紙巻器Ｈよりも後方に配置したので、測定装置１０が紙巻器Ｈの使用の妨げになるのを防止することができる。
【００３６】
また、測定装置１０は、棚２０の便器装置Ｔ側の端面よりも便器装置Ｔ側に突出して設けられた測定操作を行うための操作部１４を備えており、検出部１１は、棚２０の上面に配置されている。このため、使用者により近接させた操作し易い位置に操作部１４を配置することができる。また、検出部１１に人差し指の指先を当てた状態において操作し易い位置に操作部１４が配置されているので、より確実な操作部１４の操作を行うことができる。
【００３７】
また、測定装置１０は表示部１３を備えており、この表示部１３には、検出部１１により検出した脈波の情報や、脈波の情報に基づいて演算処理したことにより得られた演算結果としての血管年齢の測定値等が表示される。このため、脈波情報や測定値を測定後に即座に確認することができる。
【００３８】
また、測定装置１０は操作部としての操作ボタン１４Ａを備えており、この操作ボタン１４Ａの操作により検出部１１による脈波の検出を開始する。このため、使用者の所望のタイミングで開始することができる。
【００３９】
また、測定装置１０は、取付金具１５により棚２０に取り付けられている。このため、取付金具１５を既存のトイレ室の棚に取り付けることによって、容易に着脱することが可能な形態で、測定装置１０を既存のトイレ室に容易に取り付けることができる。
【００４０】
また、測定装置１０及び棚ユニット１００は、トイレ室Ｒに配されている。このため、測定装置１０及び棚ユニット１００は、よりリラックスした状態で測定することができる。すなわち、トイレ内はプライバシーが保たれて気持ちが落ち着き易いので、心拍を安定させることができる。このため、より正確に測定することができ、検出精度の向上を図ることができる。
【００４１】
＜実施例２＞
次に、実施例２に係る測定装置について説明する。実施例２の測定装置２１０は、配設形態の点等において実施例１と相違する。なお、実施例１と同様の構成は同一の符号を付し、詳細な説明を省略する。
【００４２】
実施例２の測定装置２１０は、図４及び図５に示すように、実施例１と同様の検出部１１と、機能部２１２と、を備えている。機能部２１２は、形状的には、実施例１と同様に、断面台形状をなすとともに、測定装置２１０が棚２０に取り付けられた状態における前後方向を長手方向とする角柱形状をなしている。機能部２１２の上面には上側延出部２１２Ａが形成されている。上側延出部２１２Ａは、棚２０の上面に配された状態において、前後方向に比して左右方向が長い平面視矩形状をなしている。また、上側延出部２１２Ａは、左右方向の長さが棚２０の左右方向（幅方向）の長さの略全体に渡る長さで形成されている。測定装置２１０は、この上側延出部２１２Ａ上に実施例１と同様の検出部１１が一体的に載置された形態とされている。また、機能部２１２の便器装置Ｔ側の面２１２Ｄは、実施例１と同様に、僅かに上方を向く形態で傾斜して形成されている。
【００４３】
また、機能部２１２は、実施例１と同様に、表示部１３、操作部１４、制御部、情報処理部等を有している。表示部１３は、機能部２１２の便器装置Ｔ側の面２１２Ｄに配されている。操作部１４は、機能的には、実施例１と同様の機能をそれぞれ有する５つの操作ボタン１４Ａ〜１４Ｅを有している。これら５つの操作ボタンのうち、測定を開始する際に操作される操作ボタン１４Ａは、上側延出部２１２Ａに配されている。この操作ボタン１４Ａは、検出部１１の左方に並んで配されている。一方、他の操作ボタン１４Ｂ〜１４Ｅは、上側延出部２１２Ａと機能部２１２の便器装置Ｔ側の面２１２Ｄとの交差する部位に前後方向に並んで配されている。操作ボタン１４Ｂ〜１４Ｅは、上側延出部２１２Ａの上面と機能部２１２の便器装置Ｔ側の面２１２Ｄとを円滑に連結する形態で、それらの表面が湾曲して形成されている。
【００４４】
また、図４及び図５に示すように、実施例２において、棚２０の上面には２条のガイド溝２２，２３が配されている。ガイド溝２２，２３は、棚２０の上面の左右方向の両端に形成されている。また、棚２０の便器装置Ｔ側の側面にはガイドレール２４が配されている。これらガイド溝２２，２３及びガイドレール２４は、本発明に係るガイド部として機能する。詳細には、ガイド溝２２，２３及びガイドレール２４は、棚２０の後端から手すり２１の近傍まで、前後方向に平行に延びて設けられている。ガイド溝２２，２３には、測定装置２１０の上側延出部２１２Ａの下面に形成された２条の被案内部（図示せず）が摺動自在に嵌め込まれる。また、ガイドレール２４は、棚２０の便器装置Ｔ側の側面から便器装置Ｔ側に突出するとともに、ガイド溝２２，２３に平行に前後方向に延びて配されている。ガイドレール２４は、その上面に、測定装置２１０の機能部２１２が上方から摺動自在かつ着脱自在に載置される。すなわち、これらガイド溝２２，２３及びガイドレール２４は、本発明に係る取付部としても機能する。測定装置２１０は、これらガイド溝２２，２３及びガイドレール２４の作用により、棚２０上を前後方向に移動自在とされている。
本実施例の測定装置２１０は、このような構成の棚２０とともにトイレ室用棚ユニット２００を構成する。
【００４５】
次に、上記構成の実施例２の測定装置２１０を用いた測定方法について説明する。測定に際しては、最初に、ガイド部としてのガイド溝２２，２３及びガイドレール２４に沿って測定装置２１０を前後方向に移動させ、測定装置２１０を紙巻器Ｈの後端よりも後方側の測定に適した位置に配置する。そして、この状態で、右手の中指の指先を検出部１１に載置する。この時、手を自然な状態とすることで、手のひら等の他の手の部位が棚２０の上面に載置された状態となり、腕に負担をかけたり余計な力が込められたりするのが回避される。また、この状態で、人差し指は、検出部１１の左方に並んで配された操作部としての操作ボタン１４Ａ上に位置した状態となる。すなわち、検出部１１に中指を載置した状態において、操作ボタン１４Ａの操作を容易に行うことが可能な位置に人差し指が配される。
【００４６】
また、測定完了後等の測定装置２１０の非使用時には、測定装置２１０を、取付部としてのガイド溝２２，２３及びガイドレール２４から取り外したり、前方の紙巻器Ｈ上や手すり２１の手前側に移動させておいたりすることが可能である。これにより、棚２０の上面に手をついたり、棚２０に物を載置したりする際に、手や物と測定装置２１０との干渉を回避することができる。
【００４７】
以上より、実施例２の測定装置２１０もまた、実施例１の測定装置１０と同様に、測定精度の向上を図ることができる。
【００４８】
また、測定装置２１０は、棚２０に設けられたガイド部としてのガイド溝２２，２３及びガイドレール２４に沿って前後方向に移動自在に設けられている。このため、測定の際には、測定装置２１０を前後方向に移動させて紙巻器Ｈの後端よりも後方に位置させて使用者に近接した位置に配置することができる。また、腕の長さ等の体格の異なる使用者それぞれに適した位置に測定装置２１０を配置することができる。また、非使用時には、測定装置２１０を邪魔にならない位置に容易に移動させることができる。
【００４９】
また、測定装置２１０は、操作部としての操作ボタン１４Ａを備えており、この操作ボタン１４Ａは、棚２０の上面に配された検出部１１に隣接して、棚２０の上面に配されている。このように、検出部１１及び操作ボタン１４Ａが視認し易い棚２０の上面に配されているので、検出部１１への中指の載置、及び操作ボタン１４Ａの操作を容易且つ確実に行うことができる。
【００５０】
また、測定装置２１０は表示部１３を備えており、この表示部１３には、検出部１１により検出した脈波の情報や、脈波の情報に基づいて演算処理したことにより得られた演算結果としての血管年齢の測定値等が表示される。このため、脈波情報や測定値を測定後に即座に確認することができる。
【００５１】
また、測定装置２１０は操作部としての操作ボタン１４Ａを備えており、この操作ボタン１４Ａの操作により検出部１１による脈波の検出を開始する。このため、使用者の所望のタイミングで開始することができる。
【００５２】
また、測定装置２１０及び棚ユニット２００は、トイレ室Ｒに配されている。このため、測定装置２１０及び棚ユニット２００は、よりリラックスした状態で測定することができる。すなわち、トイレ内はプライバシーが保たれて気持ちが落ち着き易いので、心拍を安定させることができる。このため、より正確に測定することができ、検出精度の向上を図ることができる。
【００５３】
＜実施例３＞
次に、実施例３に係る測定装置について説明する。実施例３の測定装置３１０は、配設形態の点等において実施例１と相違する。なお、実施例１と同様の構成は同一の符号を付し、詳細な説明を省略する。
【００５４】
実施例３の測定装置３１０は、図６及び図７に示すように、実施例１と機能的に同様の機能を有する検出部１１、表示部１３及び操作部１４を備えている。また、測定装置３１０は機能部３１２を備えている。機能部３１２は、形状的には、測定装置３１０が棚２０に取り付けられた状態における平面視が前後方向に長い矩形状をなしている。機能部３１２は、測定装置３１０が棚２０に取り付けられた状態において、その上面３１２Ａが棚２０の上面と面一となる形態とされている。また、検出部１１、表示部１３、及び操作部１４は、この機能部３１２の上面３１２Ａに埋め込まれる形態でそれぞれ配されている。すなわち、測定装置３１０は、棚２０に取り付けられた状態において、棚２０の上面に出っ張りのない形態とされる。
【００５５】
図６に示すように、棚２０に取り付けられた状態の測定装置３１０において、機能部３１２の上面３１２Ａには、前方側に表示部１３が配され、後方側に検出部１１及び操作部１４の操作ボタン１４Ａが配されている。また、表示部１３と検出部１１との前後方向の間には、他の操作ボタン１４Ｂ〜１４Ｅが左右方向に並んで配されている。また、検出部１１及び操作ボタン１４Ａは、検出部１１が便器装置Ｔ側に位置する形態で左右方向に並んで配されている。更に、操作ボタン１４Ａは、検出部１１よりも僅かに後方寄りに配されている。
【００５６】
また、測定装置３１０は、棚２０に着脱自在に設けられている。詳細には、図７に示すように、棚２０には、測定装置３１０の機能部３１２が嵌め込まれる孔２５が形成されている。すなわち、実施例３の測定装置３１０において、孔２５は、本発明に係る取付部として機能する。孔２５は、その一部が紙巻器Ｈの後端よりも後方に開口する形態で形成されている。これにより、棚２０に取り付けられた状態の測定装置３１０は、その一部が紙巻器Ｈの後端よりも後方に位置する形態とされる。機能部３１２は、上面３１２Ａ側に鍔部３１２Ｅを形成している。孔２５は、上側の開口が下側に比して大きい形態で形成されており、その内周壁には上下方向の段差２５Ａが形成されている。この段差２５Ａには、測定装置３１０が嵌め込まれる際に機能部３１２の鍔部３１２Ｅの下面が当接するようにされている。また、段差２５Ａには磁石２６が配されている。磁石２６は段差２５Ａの複数箇所に配されている。磁石２６は、測定装置３１０が孔２５に嵌め込まれた状態において、鍔部３１２Ｅの下面に磁力により吸着する。これにより、測定装置３１０が孔２５に嵌め込まれた状態が保持される。本実施例の測定装置３１０は、このような棚２０とともにトイレ室用棚ユニット３００を構成する。
【００５７】
次に、上記構成の実施例３の測定装置３１０を用いた測定方法について説明する。測定に際しては、右手の中指の指先を検出部１１に載置する。この時、検出部１１が棚２０の上面と面一に設けられていることにより、手の全体が棚２０の上面に載置された状態となり、腕に負担をかけたり余計な力が込められたりするのが回避される。また、この状態で、薬指は、検出部１１の右方の僅かに後方に並んで配された操作部としての操作ボタン１４Ａ上に位置した状態となる。すなわち、検出部１１に中指を載置した状態において、操作ボタン１４Ａの操作を容易に行うことが可能な位置に薬指が配される。
【００５８】
このような構成の測定装置３１０もまた、実施例１の測定装置１０と同様に、測定精度の向上を図ることができる。
【００５９】
また、測定装置３１０は、検出部１１が、脈波を検出する際に手が当てられる面が棚２０の上面に面一に設けられている。このため、測定時には、検出面と同じ高さの棚２０の上面に手を自然な状態で載置して測定を行うことができる。
【００６０】
また、測定装置３１０は、棚２０の上面と面一となる形態で棚２０に嵌め込まれている。このため、棚２０は上面に出っ張りのない形態とされるので、棚２０の上面の拭き掃除を容易に行うことができる等、測定装置３１０を取り付けたことによる使い勝手の低下を防止できる。また、測定装置３１０を棚２０に埋め込む形態で配置したので、測定装置３１０が紙巻器Ｈの使用の妨げになるのを防止することができる。
【００６１】
また、測定装置３１０は、操作部としての操作ボタン１４Ａを備えており、この操作ボタン１４Ａは、棚２０の上面に配された検出部１１に隣接して、棚２０の上面に配されている。このように、検出部１１及び操作ボタン１４Ａが視認し易い棚２０の上面に配されているので、検出部１１への中指の載置、及び操作ボタン１４Ａの操作を容易且つ確実に行うことができる。
【００６２】
また、測定装置３１０は、紙巻器Ｈの後端よりも後方に一部が位置している。このため、便器装置Ｔに着座した状態の使用者に近接した位置に確実に配置することができるので、楽な姿勢で測定を行うことができる。
【００６３】
また、測定装置３１０は表示部１３を備えており、この表示部１３には、検出部１１により検出した脈波の情報や、脈波の情報に基づいて演算処理したことにより得られた演算結果としての血管年齢の測定値等が表示される。このため、脈波情報や測定値を測定後に即座に確認することができる。
【００６４】
また、測定装置３１０は操作部としての操作ボタン１４Ａを備えており、この操作ボタン１４Ａの操作により検出部１１による脈波の検出を開始する。このため、使用者の所望のタイミングで開始することができる。
【００６５】
また、測定装置３１０及び棚ユニット３００は、トイレ室Ｒに配されている。このため、測定装置３１０及び棚ユニット３００は、よりリラックスした状態で測定することができる。すなわち、トイレ内はプライバシーが保たれて気持ちが落ち着き易いので、心拍を安定させることができる。このため、より正確に測定することができ、検出精度の向上を図ることができる。
【００６６】
＜他の実施例＞
本発明は上記記述及び図面によって説明した実施例に限定されるものではなく、例えば次のような実施例も本発明の技術的範囲に含まれる。
（１）実施例１〜３では、生体情報装置が指先からの脈波（生体情報）に基づいて血管年齢を測定するものであるが、生体情報装置は、センサによって脈波以外の生体情報（心拍数、血圧、体温、静脈パターン、指紋等）を検出し、この検出結果に基づいて（ストレス度等の測定値や、個人を特定するための生体認証情報）を演算処理し、この演算結果を画像表示したり、演算結果に基づいてトイレ機器を作動させる制御信号を出力したりするものであってもよい。
（２）実施例１〜３では、人差し指や中指の指先を検出部に当てることで生体情報を検出する形態を例示したが、他の指や手のひら等、人差し指及び中指の指先以外の手の部位により生体情報を検出してもよい。
（３）実施例１〜３では、棚がトイレ室の右方の壁面に設けられており、この棚に測定装置が取り付けられている形態を例示したが、棚がトイレ室の左側の壁面に設けられており、測定装置がこの棚に取り付けられている形態であってもよい。
（４）実施例１〜３では、測定を開始する際に操作される操作部としての操作ボタンを備える形態を例示したが、これは必須ではなく、例えば、操作部を備えず、検出部に手を当てることにより測定を開始する形態であってもよい。
（５）実施例１では、測定装置を棚に取り付けるための取付金具を棚の下面に固定する形態を例示したが、これは必須ではない。取付金具を用いて測定装置を棚に取り付ける場合には、取付金具は、棚の側端面や上面に配されていてもよい。また、取付金具を用いることなく、測定装置を棚に直接的に取り付けてもよい。
（６）実施例２では、ガイド部として、棚の上面に形成されたガイド溝及び棚の側面に取り付けられたガイドレールを例示したが、これは必須ではない。例えば、図８に示すガイドレール４２４は、棚２０の下面に設けられて測定装置４１０を前後方向にガイドする形態である。また、ガイドレール４２４のように、ガイドレールとガイド溝とを組み合わせた形態のガイド部としてもよい。このように、ガイド部は、これに沿って測定装置が前後方向に移動自在に設けられている限り、その配設位置や大きさ、個数、形態等は特に限定されない。
（７）実施例１〜３では、取付部として、取付金具、ガイド溝及びガイドレール、並びに孔を例示したが、本発明に係る取付部はこれらに限定されるものではない。取付部は、測定装置と棚とのそれぞれに粘着により取着される両面テープや、測定装置を棚に直接ビス固定する場合のビス等、測定装置を棚に対して着脱可能な形態で取り付けられるものであればよい。
【符号の説明】
【００６７】
１０，２１０，３１０，４１０：測定装置
１１：検出部（１１Ａ，１１Ｂ：発光素子、１１Ｃ：受光素子）
１３：表示部
１４：操作部（１４Ａ〜１４Ｅ：操作ボタン）
１５：取付金具（取付部）
２０：棚
２２，２３：ガイド溝（取付部、ガイド部）
２４，４２４：ガイドレール（取付部、ガイド部）
２５：孔（取付部）
１００，２００，３００，４００：トイレ室用棚ユニット
Ｈ：紙巻器
Ｐ：トイレットペーパー
Ｒ：トイレ室
Ｔ：便器装置
Ｗ：壁面
【図１】
2020014781.tif 000003
【図２】
2020014781.tif 000004
【図３】
2020014781.tif 000005
【図４】
2020014781.tif 000006
【図５】
2020014781.tif 000007
【図６】
2020014781.tif 000008
【図７】
2020014781.tif 000009
【図８】
2020014781.tif 000010